(57)【要約】【課題】音声信号処理装置において音声記録中に操作部の操作が行われた場合であっても、操作部に対するユーザの接触直後の接触音を低減させることができる技術を提供する。【解決手段】音声信号処理装置であって、周囲の音声を集音して音声信号を生成する集音手段と、ユーザが前記音声信号処理装置を操作するための操作手段と、前記集音手段により生成された音声信号に対して、前記操作手段と所定の物体との接触音を低減する低減処理を行う低減手段と、前記操作手段に対する前記所定の物体の近接を検出する検出手段と、前記検出手段により前記近接が検出された場合に、前記低減処理を開始するように前記低減手段を制御する制御手段と、を備えることを特徴とする音声信号処理装置を提供する。【選択図】図４
2014002223.tif 000002
【特許請求の範囲】
【請求項１】
音声信号処理装置であって、
周囲の音声を集音して音声信号を生成する集音手段と、
ユーザが前記音声信号処理装置を操作するための操作手段と、
前記集音手段により生成された音声信号に対して、前記操作手段と所定の物体との接触音を低減する低減処理を行う低減手段と、
前記操作手段に対する前記所定の物体の近接を検出する検出手段と、
前記検出手段により前記近接が検出された場合に、前記低減処理を開始するように前記低減手段を制御する制御手段と、
を備えることを特徴とする音声信号処理装置。
【請求項２】
前記操作手段は、静電容量方式のタッチパネルを含み、
前記所定の物体は、前記ユーザの身体の一部であり、
前記検出手段は、前記タッチパネルの静電容量が所定の閾値以上である場合に、前記近接を検出する
ことを特徴とする請求項１に記載の音声信号処理装置。
【請求項３】
発光手段及び受光手段を更に備え、
前記検出手段は、前記発光手段が発した光の反射光の前記受光手段における受光量が所定の閾値以上である場合に、前記近接を検出する
ことを特徴とする請求項１又は２に記載の音声信号処理装置。
【請求項４】
前記低減処理は、前記接触音に対応する所定の周波数の音声信号を低減する処理を含む
ことを特徴とする請求項１乃至３のいずれか１項に記載の音声信号処理装置。
【請求項５】
前記低減処理は、前記集音手段により生成された音声信号に対して、前記所定の周波数よりも高い周波数の音声信号を通過させるハイパスフィルタ、又は、前記所定の周波数の音声信号を低減するノッチフィルタを適用する処理を含む
ことを特徴とする請求項４に記載の音声信号処理装置。
【請求項６】
前記制御手段は、前記検出手段により前記近接が検出されなくなった場合に、前記低減処理を停止するように前記低減手段を制御する
ことを特徴とする請求項１乃至５のいずれか１項に記載の音声信号処理装置。
【請求項７】
周囲の音声を集音して音声信号を生成する集音手段と、ユーザが音声信号処理装置を操作するための操作手段と、を備える前記音声信号処理装置の制御方法であって、
前記音声信号処理装置の低減手段が、前記集音手段により生成された音声信号に対して、前記操作手段と所定の物体との接触音を低減する低減処理を行う低減工程と、
前記音声信号処理装置の検出手段が、前記操作手段に対する前記所定の物体の近接を検出する検出工程と、
前記音声信号処理装置の制御手段が、前記検出工程において前記近接が検出された場合に、前記低減処理を開始するように前記低減工程を制御する制御工程と、
を備えることを特徴とする制御方法。
【請求項８】
コンピュータに、請求項７に記載の制御方法の各工程を実行させるためのプログラム。
【発明の詳細な説明】
【技術分野】
【０００１】
本発明は、音声信号処理装置、及びその制御方法に関する。
【背景技術】
【０００２】
従来、音声信号処理装置として、動画とともに音声を記録することができる撮像装置が知られている。このような撮像装置において、音声記録を実行しているときに、撮像装置のボタンやダイアル、レバー等の操作があると、これらの操作に伴う操作音が、記録中の音声に含まれてしまうという問題があった。
【０００３】
このような問題に対し、例えば特許文献１では、各ボタンに接触センサを設けた撮像装置において、音声記録中に、ボタンへの指の接触が検知されると、ボタン操作時に発生する音の信号成分を除去するフィルタを作動させる技術が開示されている。
【先行技術文献】
【特許文献】
【０００４】
【特許文献１】特開２００６−３９１０５号公報
【発明の概要】
【発明が解決しようとする課題】
【０００５】
しかしながら、特許文献１の各ボタンに設けられた接触センサは、ボタンへの接触がない限り接触を検知することができない。そのため、ボタン接触直後に発生する操作音（接触音）に対するフィルタ処理が間に合わず、接触音が録音されてしまうという課題がある。
【０００６】
本発明はこのような状況に鑑みてなされたものであり、音声信号処理装置において音声記録中に操作部の操作が行われた場合であっても、操作部に対するユーザの接触直後の接触音を低減させることができる技術を提供することを目的とする。
【課題を解決するための手段】
【０００７】
上記課題を解決するために、第１の本発明は、音声信号処理装置であって、周囲の音声を集音して音声信号を生成する集音手段と、ユーザが前記音声信号処理装置を操作するための操作手段と、前記集音手段により生成された音声信号に対して、前記操作手段と所定の物体との接触音を低減する低減処理を行う低減手段と、前記操作手段に対する前記所定の物体の近接を検出する検出手段と、前記検出手段により前記近接が検出された場合に、前記低減処理を開始するように前記低減手段を制御する制御手段と、を備えることを特徴とする音声信号処理装置を提供する。
【０００８】
なお、その他の本発明の特徴は、添付図面及び以下の発明を実施するための形態における記載によって更に明らかになるものである。
【発明の効果】
【０００９】
本発明によれば、音声信号処理装置において音声記録中に操作部の操作が行われた場合であっても、操作部に対するユーザの接触直後の接触音を低減させることができる。
【図面の簡単な説明】
【００１０】
【図１】第１の実施形態に係る撮像装置１００の機能ブロック図。
【図２】タッチパネル部１１５に対する近接時及びタッチ時の静電容量の差を説明する図。
【図３】音声コーデック部１１８の構成を示すブロック図。
【図４】第１の実施形態に係る、撮像装置１００が実行するフィルタ設定変更処理を示すフローチャート。
【図５】（ａ）タッチパネル部１１５と指１０との接触音を除去するためのＥＱ３０９の設定例を示す図、（ｂ）タッチパネル部１１５と指１０との接触音を除去するためのＨＰＦ３０７の設定例を示す図。
【図６】図４に示すフィルタ設定変更処理の動作及び効果について説明する図。
【発明を実施するための形態】
【００１１】
以下、添付図面を参照して、本発明の実施形態を説明する。なお、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。
【００１２】
なお、以下の実施形態においては、撮像装置を例にとって説明するが、本発明は、撮像装置に限らず、例えばＩＣレコーダなど、音声を記録することができる任意の音声信号処理装置に対して適用可能である。
【００１３】
また、以下の実施形態において説明される各機能ブロックは、必ずしも個別のハードウェアである必要はない。例えば、いくつかの機能ブロックの機能は、１つのハードウェアにより実行されても良いし、いくつかのハードウェアの連係動作により実行されても良い。
【００１４】
［第１の実施形態］
図１は、第１の実施形態に係る撮像装置１００の機能ブロック図である。撮像装置１００は、撮像装置１００に備えられた（又は撮像装置１００のマイク入力端子（不図示）に取り付けられた）マイクロフォン１１７により集音された音声を示す音声信号を、記録再生部１１１に装着された記録媒体に記録することができる。また、撮像装置１００は、いわゆる静電容量方式のタッチパネル部１１５を操作部として有する（例えば、表示装置１１２上に静電容量方式のタッチパネル部１１５が配置されている）。そして、撮像装置１００のシステム制御部１０５は、マイクロフォン１１７により集音された音声信号を記録媒体に記録するモードであるときに、タッチパネル部１１５へのユーザの接近を検出する。接近が検出されると、撮像装置１００は、操作音（接触音）の低減処理を行うように音声コーデック部１１８を制御する。
【００１５】
以下、このような撮像装置１００の各機能ブロックの詳細について説明する。図１に示すように、撮像装置１００は、撮像素子１０１、Ａ／Ｄ変換部１０２、画像処理部１０３、メモリ制御部１０４、システム制御部１０５、メモリ１０６、レリーズスイッチ１０７、モードダイアル１０８、操作部１０９、不揮発性メモリ１１０を有する。また、撮像装置１００は、記録再生部１１１を有し、ここに記録媒体を装着することができる。また、撮像装置１００は、表示装置１１２を有し、表示装置１１２は、液晶パネル表示部１１３、バックライト照明部１１４、タッチパネル部１１５を有する。また、撮像装置１００は、赤外光受発光部１１６、マイクロフォン１１７、音声コーデック部１１８、スピーカ１１９を有する。
【００１６】
システム制御部１０５は、例えばＣＰＵ等からなり、不揮発性メモリ１１０に記録されている撮像装置１００の制御プログラムをメモリ１０６に展開し、制御プログラムに従って撮像装置１００の各機能ブロックを制御する。その際に、システム制御部１０５は、メモリ１０６をワークスペースとして使用する。また、システム制御部１０５は、撮像装置１００のレンズ（不図示）などの動作を制御することができる。以降の説明に示す動作は、特に断らない限り、システム制御部１０５の制御により実行される動作である。
【００１７】
撮像素子１０１は、レンズ（不図示）などを介して結像された被写体の光学像を電気信号に変換する、例えばＣＣＤやＣＭＯＳ等の撮像素子である。Ａ／Ｄ変換部１０２は、撮像素子１０１のアナログ信号出力をデジタル信号に変換する。メモリ制御部１０４及びシステム制御部１０５は、Ａ／Ｄ変換部１０２により得られたデジタル信号を画像データとしてメモリ１０６に格納する。
【００１８】
画像処理部１０３は、Ａ／Ｄ変換部１０２からのデジタル信号、又はメモリ制御部１０４からの画像データに対して、所定の画素補間処理や色変換処理を行う。画像処理部１０３は、例えばマイクロコンピュータからなる。
【００１９】
メモリ制御部１０４は、Ａ／Ｄ変換部１０２、画像処理部１０３、システム制御部１０５、メモリ１０６、記録再生部１１１、及び表示装置１１２の間でのデータの送受を制御する。
【００２０】
メモリ１０６は、システム制御部１０５の、プログラムスタック領域、ステータス記憶領域、演算用領域、ワーク用領域、画像表示データ用領域を有する。また、メモリ１０６は、各種データを一時的に記憶することもできる。
【００２１】
モードダイアル１０８は、撮像装置１００の撮影モードを切り替えるためのダイアルである。モードダイアル１０８が操作されると、システム制御部１０５は、選択された撮影モードにて撮像装置１００の各機能ブロックが動作するように制御を行う。なお、撮影モードの例としては、自動撮影モード、プログラム撮影モード、シャッター速度優先撮影モード、絞り優先撮影モード、マニュアル撮影モード等がある。また、ポートレート撮影モード、風景撮影モード、スポーツ撮影モード、夜景撮影モード、動画モード、音声記録モード、再生モード等がある。
【００２２】
操作部１０９はシステム制御部１０５の各種の動作指示を入力するための各種操作部であり、例えば、スイッチやダイアル、タッチパネル、視線検知によるポインティング、音声認識装置等のいずれか、或いはこれらのうちの複数の組み合わせで構成される。
【００２３】
不揮発性メモリ１１０は、電気的に消去・記録される不揮発性メモリであり、例えばフラッシュメモリやＥＥＰＲＯＭ等が用いられる。不揮発性メモリ１１０には、撮影状態の保存や、撮像装置１００を制御するプログラム等が格納されている。
【００２４】
記録再生部１１１は、ここに装着されたコンパクトフラッシュ（登録商標）やＳＤカードといった記録媒体に対して音声データや画像データ等をファイルとして記録したり、記録媒体からファイルを読み出したりする。なお、本実施形態において、記録媒体は、データの記録が可能な記録媒体であれば、内蔵であっても着脱可能であってもよいし、どのような形態の記録媒体であってもよい。
【００２５】
表示装置１１２は、撮像装置１００の操作画面を表示したり、撮像素子１０１により得られた画像を表示したり、記録媒体から再生された画像を表示したりする。なお、本実施形態の表示装置１１２は、前述したようにタッチパネル部１１５を備える。
【００２６】
液晶パネル表示部１１３は、表示画像に応じた透過率で、バックライト照明部１１４からの光を透過させる。例えば、液晶パネル表示部１１３は、システム制御部１０５の指示により、メモリ１０６の画像表示データ用領域に格納されたメニュー画面、又は記録再生部１１１により記録媒体から読み出された画像ファイルの示す画像を表示することができる。
【００２７】
バックライト照明部１１４は、液晶パネル表示部１１３に光を供給する光源であって、例えば、ＬＥＤ、有機ＥＬ、蛍光管等である。タッチパネル部１１５は、静電容量の変化を検知することでタッチの有無を判定する静電容量方式のタッチパネルである。
【００２８】
このタッチパネル部１１５により、ユーザは、撮影設定や表示設定に関するメニュー操作が可能である。具体的には、システム制御部１０５の指示により表示装置１１２に表示された設定メニューに対応するタッチパネル部１１５上の位置をユーザが操作することで、撮像装置１００の動作を決定することができる。このとき、タッチパネル部１１５は、前述したように、静電容量の変化を検知することでタッチパネル上のどの位置が操作されたのかを検出することができる。この検出方法については後述する。システム制御部１０５は、タッチパネル部１１５の検出した操作位置の情報に基づいて、ユーザの選択したメニューを特定し、選択されたメニューに応じた動作を行うように撮像装置１００の各機能ブロックを制御する。
【００２９】
また、撮影画像のスルー画像を表示装置１１２に表示させるライブビュー撮影中は、ユーザは、表示装置１１２に表示されている被写体をタッチ操作により選択することで、選択した被写体に対してＡＦ（オートフォーカス）処理を行うことが可能である。
【００３０】
ここで、タッチパネル部１１５の検出動作について、図２を用いて説明する。本実施形態のタッチパネル部１１５は、静電容量の閾値を２段階設けることで、近接とタッチとを区別して検知することができる。図２においては、静電容量の閾値として、閾値１と閾値２の２つの閾値が設定されており、閾値１は閾値２よりも小さな値に設定されている。
【００３１】
図２（ｂ）に示すように、検出容量値が閾値１を越えた場合に、ユーザの指１０とタッチパネル部１１５の表面との距離が図２（ａ）に示す距離１１（例えば数ｃｍ）以内であることが判定される。また、図２（ｄ）に示すように、検出容量値が閾値２を越えた場合に、ユーザの指１０とタッチパネル部１１５の表面とが接触している（図２（ｃ）に示す距離１２以内にある）ことが判定される。
【００３２】
赤外光受発光部１１６は、ユーザがファインダーを覗いているか否かを検知するためのものである。赤外光受発光部１１６は、赤外線を発光し、ユーザから反射した光（反射光）を受光し、受光量を検出することで、ユーザとファインダーとの距離を検出する。
【００３３】
マイクロフォン１１７は、周囲の音声を集音し、音声振動を電気信号（音声信号）に変換して音声コーデック部１１８に入力する。音声コーデック部１１８は、音声信号の符号化・復号化処理回路、マイクロフォン１１７及びスピーカ１１９を駆動するアンプ、音声信号に含まれるノイズを除去するフィルタ回路、音声信号レベルを調整する回路を内蔵している。
【００３４】
音声コーデック部１１８の構成を図３のブロック図に示す。音声コーデック部１１８は、図３に示すように、マイクアンプ３０１、Ａ／Ｄコンバータ３０２、コーデック部３０３、Ｄ／Ａコンバータ３０４、スピーカアンプ３０５を有する。また、音声コーデック部１１８は、ＰＬＬ回路３０６、ＨＰＦ（ハイパスフィルタ）３０７、ＬＰＦ（ローパスフィルタ）３０８、ＥＱ（イコライザー）３０９、ＡＬＣ（オートレベルコントローラ）３１０を有する。また、音声コーデック部１１８は、スイッチ３１１、スイッチ３１２、スイッチ３１３を有する。
【００３５】
マイクアンプ３０１は、マイクロフォン１１７から出力されるアナログ信号を増幅する。Ａ／Ｄコンバータ３０２は、マイクアンプ３０１にて増幅されたアナログ信号をデジタル信号に変換する。これにより、音声信号が生成される。コーデック部３０３は、Ａ／Ｄコンバータ３０２で得られたデジタル信号を符号化し、オーディオインターフェースフォーマットへ変換する。なお、コーデック部３０３は、オーディオインターフェースフォーマットを復号化してデジタル信号へ変換することも可能である。Ｄ／Ａコンバータ３０４は、コーデック部３０３にて復号化されたデジタル信号をアナログ信号へ変換する。スピーカアンプ３０５は、Ｄ／Ａコンバータ３０４から出力されたアナログ信号を増幅してスピーカ１１９に出力する。
【００３６】
また、ＰＬＬ回路３０６は、システム制御部１０５より出力される基準信号ｆｒｅｆからコーデック部３０３で使用するサンプリング周波数ｆｖｃｏを生成する。ＨＰＦ３０７は、入力音声信号のＤＣ成分の除去や風切り音の除去を行う。ＬＰＦ３０８は、音声信号から音声帯域だけを通過させる。ＥＱ３０９は、音声信号の周波数毎のレベル調整等を行うものであり、例えば、特定の周波数帯域のみを通過させるＢＰＦ（バンドパスフィルタ）や、反対に特定の周波数帯域のみ除去するノッチフィルタにより実装することができる。ＡＬＣ３１０は、音声信号レベルを調整する。
【００３７】
また、スイッチ３１１、スイッチ３１２、及びスイッチ３１３は、ＨＰＦ３０７、ＬＰＦ３０８、ＥＱ３０９、及びＡＬＣ３１０に対して、録音信号と再生信号のどちらを通すかを選択する。また、再生信号は、ＨＰＦ３０７、ＬＰＦ３０８、ＥＱ３０９、及びＡＬＣ３１０を通さずにＤ／Ａコンバータ３０４へ出力することもできる。
【００３８】
このような、音声コーデック部１１８を用いることで、マイクロフォン１１７で取得した音声信号をメモリ１０６に記録したり、記録再生部１１１を介して記録媒体に記録したりすることができる。また、音声コーデック部１１８により、不揮発性メモリ１１０から読み出された、又は、記録再生部１１１を介して記録媒体から読み出された音声データを、再生することができる。
【００３９】
なお、システム制御部１０５は、音声コーデック部１１８のＨＰＦ３０７及びＬＰＦ３０８のカットオフ周波数、及び、ＥＱ３０９で通過或いは除去する周波数帯域を設定することができる。
【００４０】
スピーカ１１９は、音声コーデック部１１８から送信されたアナログ音声信号を音声として外部に出力する。
【００４１】
次に、図４を参照して、第１の実施形態に係る、撮像装置１００が実行するフィルタ設定変更処理について説明する。本実施形態のフィルタ設定変更処理は、指１０（図２参照）によるタッチパネル部１１５に対する接触音が記録音声に混入することを防止するための処理であり、タッチパネル部１１５の近接検知機能を利用する。図４のフローチャートの各ステップの動作は、特に断らない限り、システム制御部１０５が不揮発性メモリ１１０に格納された制御プログラムに従って撮像装置１００の各機能ブロックを制御することにより実現される。
【００４２】
まず、レリーズスイッチ１０７、操作部１０９、又はタッチパネル部１１５により動画撮影開始の指示が入力されると、システム制御部１０５は、動画撮影を開始するように、撮像装置１００の各機能ブロックを制御する（Ｓ４０１）。
【００４３】
次に、Ｓ４０２で、システム制御部１０５は、タッチパネル部１１５の検出容量値が閾値１以上（所定の閾値以上）か否かを判定する。検出容量値が閾値１以上である場合（図２（ｂ）参照）、ユーザがタッチパネル部１１５を操作しようとして、タッチパネル部１１５と指１０とが近接状態になった（図２（ａ）参照）と考えられる。そこで、システム制御部１０５は処理をＳ４０３に移す。他方、検出容量値が閾値未満の場合、処理はＳ４０６に進む。
【００４４】
Ｓ４０３で、システム制御部１０５は、タッチによる接触音の発生に備えて、音声コーデック部１１８に対して通信を行い、音声コーデック部１１８に設定されているフィルタ設定を変更する。例えば、図５（ａ）に示すように、システム制御部１０５は、タッチパネル部１１５と指１０との接触音の周波数である３００〜４００Ｈｚの音を除去（低減）するように、ＥＱ３０９をノッチフィルタとして動作させるような設定にする。或いは、図５（ｂ）に示すように、システム制御部１０５は、ＨＰＦ３０７のカットオフ周波数を通常の設定よりも高めに設定してもよい。この場合、ＨＰＦ３０７は、接触音の周波数以下の音声信号を除去（低減）し、接触音の周波数よりも高い周波数の音声信号を通過させる。
【００４５】
Ｓ４０４で、システム制御部１０５は、Ｓ４０２と同様に、タッチパネル部１１５の検出容量値が閾値１以上か否かを判定する。検出容量値が閾値１以上である場合、ユーザの指１０がまだタッチパネル部１１５に対して近接状態のままであると考えられる。そこで、システム制御部１０５は、検出容量値が閾値１以上未満になるまでＳ４０４の判定を繰り返すことにより、フィルタ設定を変更後の状態に維持する。他方、検出容量値が閾値１未満である場合、ユーザの指１０がタッチパネル部１１５から離れて近接状態ではなくなったと考えられる。そこで、システム制御部１０５は処理をＳ４０５に移す。
【００４６】
Ｓ４０５で、システム制御部１０５は、音声コーデック部１１８に対して通信を行い、フィルタ設定を変更前の設定値に戻す。
【００４７】
Ｓ４０６で、システム制御部１０５は、ユーザの操作によって動画撮影終了の指示が入力されたか否かを判定する。動画撮影終了の指示が入力された場合、システム制御部１０５は、撮影処理を終了して図４のフローチャートの処理を終了する。一方、動画撮影終了の指示が入力されていない場合、システム制御部は、処理をＳ４０２へ戻す。
【００４８】
次に、図６のタイミングチャートを参照して、図４に示すフィルタ設定変更処理の動作及び効果について説明する。図６（ａ）は、従来技術に従い、指１０のタッチパネル部１１５に対する（近接時ではなく）タッチのタイミングでフィルタ設定を変更した場合を示すタイミングチャートである。
【００４９】
図６（ａ）に示すように、時刻Ｔ０でタッチが検出される。また、指１０がタッチパネル部１１５をタッチしたことによる接触音が発生する。また、このタイミングで、システム制御部１０５は、音声コーデック部１１８に対して、フィルタ設定を接触音除去用の設定に変更するための通信を行う。この時点では、フィルタ設定変更の通信を行っている段階のため、接触音除去用のフィルタ設定は完了していない。その後、時刻Ｔ１で、フィルタ設定変更の通信が終了し、これ以降は、入力音声に対して接触音除去用のフィルタが適用される。しかしながら、時刻Ｔ０の時点でタッチによる接触音が発生しているため、タッチを検出した時刻Ｔ０からフィルタ設定の変更が完了する時刻Ｔ１の間に発生した接触音に対しては、接触音除去用のフィルタが適用されない。従って、この期間の接触音は除去されない。
【００５０】
その後、時刻Ｔ２で、タッチが解除され、フィルタ設定を元に戻すための通信が行われる。そして、時刻Ｔ３で、フィルタ設定変更の通信が終了し、通常設定のフィルタが適用される。
【００５１】
図６（ｂ）は、本実施形態に従い、指１０とタッチパネル部１１５とが近接した時点でフィルタ設定を変更した場合を示すタイミングチャートである。時刻Ｔ０（Ｓ４０２）で、指１０とタッチパネル部１１５との近接が検知される。Ｓ４０３で、システム制御部１０５は、音声コーデック部１１８に対してフィルタ設定を接触音除去用の設定に変更するための通信を行う。この通信は、時刻Ｔ１で終了し、これ以降は、入力音声に対して接触音除去用のフィルタが適用される（即ち、接触音の低減処理が開始する）。時刻Ｔ２で、タッチが検出される。また、指１０がタッチパネル部１１５をタッチしたことによる接触音が発生する。この場合、図６（ａ）と異なり、フィルタ設定の変更が既に完了しているので、接触音に対して最初から接触音除去用のフィルタが適用される。従って、接触音を効果的に除去又は低減することができる。
【００５２】
その後、時刻Ｔ３で、タッチが解除される。時刻Ｔ４（Ｓ４０４）で、近接の解除が検知され、Ｓ４０５で、フィルタ設定を元に戻すための通信が行われる。時刻Ｔ５で、フィルタ設定変更の通信が終了し、これ以降、入力音声に対して通常設定のフィルタが適用される（即ち、接触音の低減処理が停止する）。
【００５３】
以上説明したように、本実施形態の撮像装置１００は、タッチパネル部１１５の静電容量に基づき、タッチパネル部１１５とユーザの指とが近接したことを検出し、音声コーデック部１１８のフィルタ設定を、接触音を低減するように変更する。換言すると、撮像装置１００は、タッチパネル部１１５とユーザの指とが接触する前にフィルタ設定変更処理を開始する。
【００５４】
これにより、音声信号処理装置（例えば、撮像装置１００）において音声記録中に操作部（例えば、タッチパネル部１１５）の操作が行われた場合であっても、操作部に対するユーザの接触直後の接触音を低減させることができる。
【００５５】
なお、本実施形態においては、ユーザの指１０の近接を静電容量方式のタッチパネル部１１５により検出する構成としたが、指１０の近接を検知できれば他の構成を使用しても構わない。例えば、ユーザがファインダーを覗いているか否かを検知するための赤外光受発光部１１６を利用して指１０の近接を検知する構成を使用しても構わない。赤外光受発光部１１６を使用した場合は、検出容量を赤外光受光量に置き換えて本実施形態を解釈すればよい。即ち、システム制御部１０５は、赤外光受発光部１１６における受光量が閾値以上の場合に、近接を検出する。このように、タッチパネル部１１５とは別の近接検知部を設けることで、静電容量方式とは別の検出方式のタッチパネルを使用した音声信号処理装置においても、本発明を適用することが可能となる。
【００５６】
また、本実施形態においては、ユーザの指１０とタッチパネル部１１５との接触音を低減するものとしたが、低減対象の接触音はこれに限定されず、操作部及び近接検知部の実装に応じて、任意の接触音を低減することができる。例えば、ユーザは、指１０以外の身体の一部によりタッチパネル部１１５を操作してもよい。この場合、撮像装置１００は、ユーザの身体の一部がタッチパネル部１１５に近接したことを検出し、ユーザの身体の一部とタッチパネル部１１５との接触音の低減処理を行う。また、ユーザがスタイラスなどの所定の物体によりタッチパネル部１１５を操作する場合、撮像装置１００が赤外光受発光部１１６によりスタイラスの近接を検出できれば、スタイラスとタッチパネル部１１５との接触音を低減することができる。
【００５７】
また、フィルタ設定を変更前の状態に戻すタイミングについて、本実施形態では近接状態が解除されたタイミング（図６（ｂ）の時刻Ｔ４）とした。しかしながら、変更後のフィルタ設定が適用されている期間に接触音全体が含まれるのであれば、変更前の状態に戻すタイミングはこれに限られない。例えば、フィルタ設定変更後にタッチパネル部１１５の検出容量値が図２（ｄ）に示すように閾値２以上となり、タッチを検出した時刻から所定時間が経過した時点でフィルタ設定を変更前の状態に戻すような制御でも構わない。この場合、タッチ検出からフィルタ設定を変更前の状態に戻すまでの所定時間は、接触音が発生している数十ｍｓｅｃ程度とすればよい。このように、近接検知のみではなく、タッチ検出を併用すれば、フィルタ設定を戻すタイミングを更に適切に制御することが可能となる。
【００５８】
［その他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014002223.tif 000003
【図２】
2014002223.tif 000004
【図３】
2014002223.tif 000005
【図４】
2014002223.tif 000006
【図５】
2014002223.tif 000007
【図６】
2014002223.tif 000008